(57)【要約】      （修正有）【課題】中空の球形ボールの中に、その半径よりも少し小さい磁石を移動自在なるように収納したものであり、その磁石が発する有効な磁力付与作用と、球形ボールの押し付けによる力学的指圧作用との相乗効果によって、筋肉のこりや痛みを和らげ、血流促進、健康増進などの目的で使用される健康用磁気ボールを提供する。【解決手段】非磁性体製の球殻で形成された中空の球状体で、その中空部の内圧または球殻の剛性によって球状を維持することができるボール体であって、その球殻内の中空部には、その中空半径よりも少し小さい直径の棒状磁石を２個又はその中空半径よりも少し小さい長さの棒状磁石を移動自在なるように収納したことを特徴とする健康用磁気ボールである。【選択図】図２
0003143536.tif 000002
【実用新案登録請求の範囲】
【請求項１】
非磁性体製の球殻で形成された中空の球状体で、その中空部の内圧または球殻の剛性によって球状を維持することができる球状ボール体であって、その球殻内の中空部には、長軸が中空半径とほぼ同じかそれよりも少し小さい楕円体磁石を２個移動自在なるように収納したことを特徴とする健康用磁気ボール。
【請求項２】
非磁性体製の球殻で形成された中空の球状体で、その中空部の内圧または球殻の剛性によって球状を維持することができる球状ボール体であって、その球殻内の中空部には、その中空直径よりも少し小さい長さの棒状磁石を、移動自在なるように収納したことを特徴とする健康用磁気ボール。
【請求項３】
前記非磁性体製の球殻が、ゴム製、プラスチック製、布製、不織布性、皮製、人口皮革製のいずれかであることを含む請求項１又は請求項２に記載の健康用磁気ボール。
【請求項４】
前記非磁性体製の球殻が、ゴム製又は合成ゴム製のコア球状体とその表面をフェルト、天然ウール、ナイロン又はメルトンで覆うように接着して積層にしたことを特徴とする請求項１又は請求項２に記載の健康用磁気ボール。
【請求項５】
前記棒状磁石は、フェライト磁石、ＫＳ磁石鋼、アルニコ磁石、希土類磁石、白金コバルト磁石のいずれかであることを含む請求項１又は請求項２に記載の健康用磁気ボール。
【請求項６】
前記棒状磁石は、その究極の強さが３０００〜１００００ガウスであることが特徴である請求項１若しくは請求項２又は請求項５に記載の健康用磁気ボール。
【請求項７】
非磁性体製で弾力性のある球殻で形成された中空の球状体であって、中空部の内圧を１〜２気圧にし、５〜１０ｋｇの加圧時に０．５〜１．２ｃｍの変形量が生じるようにしたことを特徴とする請求項１、請求項２又は請求項３に記載の健康用磁気ボール。
【考案の詳細な説明】
【技術分野】
【０００１】
本考案は、例えばテニスボールや野球のボールや卓球のボールのような中が中空の球形ボールであるが、その中空部内には、軸長が中空半径とほぼ同じかそれよりも少し小さい楕円体磁石を２個移動自在なるように収納するか、又は中空直径よりも少し小さい棒状磁石を移動自在なるように収納したものであり、その楕円体磁石や棒状磁石が発する有効な磁力付与作用と、球形ボールの押し付けによる力学的指圧作用との相乗効果によって、筋肉のこりや痛みを和らげ、血流促進、健康増進などの目的で使用される健康用磁気ボールに関する。
【背景技術】
【０００２】
従来より、身に付けるだけで、血行を促進して筋肉のこりをほぐし、自律神経のバランスも回復する磁気治療器が、各種知られている。それらの磁気治療器は、身に付けるために装着具に磁石が取り付けられていたり、磁石を粘着用部材によって貼り付けたりするものがある。また、多数の凸部を有する磁石を回転自在に玉受けに取り付けた構成にして、磁力による作用とともに凸部による指圧作用の両者を作用させる磁気マッサージ器や磁気治療器が提案されている（実用新案登録第３１０４４１５号、）。
【０００３】
【特許文献１】実用新案登録第３１０４４１５号
【考案の開示】
【考案が解決しようとする課題】
【０００４】
従来の身に付ける方式の磁気治療器は、小型で長時間使用が出来るという利点はあるが、強力な磁力の照射が難しいだけでなく、強い指圧作用を与えることがむずかしいなど、その効果がもう一つ満足でないものであった。また、従来の磁力作用と凸部による指圧作用の両作用を併用させる磁気マッサージ器や磁気治療器は、どうしても構成が複雑となって高価となったり、型が大きくなったり、使い方が難しくなったりすることが多い。
【０００５】
肩こりや腕や首のこりなど筋肉のこりは、筋肉への血液供給がとだえて、乳酸などの疲労物質がたまり、筋肉が固くなってしまう現象である。この筋肉こりの部分に磁気を与えて、血行を促進し、こりをやわらげることができるのが磁気作用である。磁気で血行がよくなるのは、このような人体の電磁気的現象によるものである。即ち、人体の血液成分の中には、プラスイオンとマイナスイオンに電離する成分が含まれており、これが血管内を流れている。この血流に磁石によって磁場を加えると、「フレミングの法則」により力が発生する。この力がイオンの流れを活発にし、血液の流れを良くすると考えられている。
【０００６】
特に、現代人は、いつも鉄筋・鉄骨コンクリートのビル内で仕事をし、生活しているうえ、電車や自動車で移動するのが常である。これではまるで鉄かごの中で生きているようなものである。鉄は、空気に比べて数１００〜数１０００倍も磁気を吸収し易く、鉄筋コンクリートの建物の中や電車や自動車の中は、自然環境よりも極端に少ない地磁気しか浴びていない。また、地磁気は、この２００年間で約１０％も減少している。このため、現代人は、自然環境からも人為的環境からも「磁気欠乏症候群」になっているのである。これが現代人の肩こりなどのさまざまな心身変調の原因になっているといわれている。このため、現代人は磁気供給によって心身の変調を改善することができ、美しく、使い易い健康器具や磁気治療器が開発されることを強く望んでいる。
【０００７】
そこで本考案は、このような従来の治療機器の難点を解消するとともに、要望を満足させる強い磁力作用と指圧作用によって心身の変調を改善するという治療効果を有しており、その外観も合理的で美しい球形をしていて使い易いという健康器具を提供せんとするものである。
【課題を解決するための手段】
【０００８】
登録を受けようとする第１考案は、非磁性体製の球殻で形成された中空の球状体で、その中空部の内圧または球殻の剛性によって球状を維持することができる球状ボール体であって、その球殻内の中空部には、その長軸が中空半径とほぼ同じかそれよりも少し小さい楕円体磁石を２個移動自在なるように収納したことを特徴とする健康用磁気ボールである。
【０００９】
当該第１考案は、棒状磁石を内在した球状体による磁力付与作用と力学的指圧作用を有する体調調整効果のある健康器具の基本考案である。本考案の第１の特徴は、テニスボールや野球のボールや卓球のボールのような球形体にした点にある。球形体は、空間的には最も合理的で無駄のない究極の立体形であり、見た目にも美しいうえ、上下左右の方向性がなく、いかなる向きでも同じように使うことができる利点がある。また球形のボール体は、これを力学的に圧縮したとき、その先端の接触点に応力集中が生じる力学特性がある。このため当該球形のボール体を身体に押し付けことによって、力学的指圧作用を患部に効率的に作用させることが出来る。
【００１０】
本考案の第２の特徴は、楕円体磁石が２個、球形ボール体の中に移動自在なるように収納されている点である。この楕円体磁石の長軸は中空半径とほぼ同じかそれよりも少し小さい寸法に形成されている。そのため、収納されている２個の楕円体磁石は連結された状態となって、その左右両端部がＮ極とＳ極となっている。本考案は、そのように連結した２個の楕円体磁石が、球形ボール体の中空部内を移動自在に収納されているので、球形の健康用磁気ボールをいかなる向きや姿勢で使用したとしても、収納されている棒状磁石が球殻の中空部内を移動して、当該健康用磁気ボールのほぼ対極面から強く磁力線を照射する状態になっている。しかも、その際に健康用磁気ボールの外方にある磁性体と反応し合い、磁力線が反発力になったり、引張り力になったりして、その健康用磁気ボール体の姿勢を不規則に変化させたり、動いたりもする。また、収納されている磁石が２個の楕円体磁石であるため、球形ボール体が押圧力によって変形したり、転がったり、姿勢を変化させた場合でも、連結された状態を維持しながら移動したり回転対応して、常に球殻と接触した最も好ましい内部構造を維持できる利点がある。
【００１１】
そのため本考案に係る健康用磁気ボールを身体に押し付けるようにして使用すると、磁力の最も強い極と応力の集中するボールの接触点が常に一致するように作用する。従って、本考案に係る健康用磁気ボールを使用すると、ほとんどの場合、最も強い圧力と最も強い磁力線の照射がなされることになり、その相乗効果により効率よく心身の変調を改善する治療用の刺激を患部に与えることになる。更に当該球形磁気ボールを磁力線によって２個、３個と複数の球形磁気ボールを結合して使用することもできる。そのように複数の球形磁気ボールが磁力によって結合した場合には、球形であってもその転がりを規制するので、患部に安定的に治療効果を付与することができ、使い易い。
【００１２】
以上のように本考案は、球形ボール体と２個の楕円体磁石を組み合わせて球殻の中に収納する構成にしたことにより、多様で従来にはない機能を有し数多くの利点を有する健康用磁気ボールを提供することができるのである。
【００１３】
登録を受けようとする第２考案は、非磁性体製の球殻で形成された中空の球状体で、その中空部の内圧または球殻の剛性によって球状を維持することができる球状ボール体であって、その球殻内の中空部には、その中空直径よりも少し小さい長さの棒状磁石を、移動自在なるように収納したことを特徴とする健康用磁気ボールである。本考案の場合も、球形ボール体の変形や姿勢の変化に対応することができ、第１考案と同様な磁力付与作用と力学的指圧作用を有する体調調整効果を実現することが出来る。
【００１４】
当該第２考案に係る健康用磁気ボールの外観形状は、第１考案と同じ球状体であり区別がつかないが、球状体の中空部に収納されている磁石の形状が相違している。このような収納されている磁石の形状の違いによって、球状体である健康用磁気ボールの動きが複雑に変化するとともに、や磁力作用が複雑に変化し、磁力付与作用と力学的指圧作用による体調調整効果がいっそう多様なものとなる。しかし、本考案の基本構成は第１考案と同じなので、本考案の場合も球形ボール体の変形や姿勢の変化に充分対応することができ、第１考案と同様な磁力付与作用と力学的指圧作用を有する体調調整効果を実現することが出来るものである。
【００１５】
以上のように本考案の場合も、球形ボール体と１個の棒状磁石を組み合わせて球殻の中に収納する構成にしたことにより、多様で従来にはない機能を有し、数多くの利点を有する健康用磁気ボールを提供することができるのである。
【００１６】
登録を受けようとする第３考案は、前記非磁性体製で弾性力を有する球殻が、ゴム製、プラスチック製、布製、不織布性、皮製、人口皮革製のいずれかであることを含む第１考案又は第２考案に記載の健康用磁気ボールである。
【００１７】
当該第３考案は、健康用磁気ボール球殻の材質を特定したものである。それは、非磁性体であれば材質はゴム製、プラスチック製、布製、不織布性、皮製、人口皮革製のいずれであってもよく、これらの材料の単品だけでなく、組み合わせた材料を用いて球殻を製造しても良いこと勿論である。
【００１８】
登録を受けようとする第４考案は、前記非磁性体製で弾力性のある球殻がゴム製又は合成ゴム製のコア球状体とその表面をフェルト、天然ウール、ナイロン又はメルトンで覆うように接着して積層にしたことを特徴とする第１考案又は第２考案に記載の健康用磁気ボールである。
【００１９】
当該第４考案は、球殻の表面を柔らかく肌触りの良い材質で覆うようにすることによって、使い心地が良好になるようにするのである。またこの球殻は、弾力性を有していて外方から押圧力を付加したとき、変形しながら接触部に柔らかく指圧力が作用するようにしたものである。
【００２０】
登録を受けようとする第５考案は、前記楕円体磁石や棒状磁石は、フェライト磁石、ＫＳ磁石鋼、アルニコ磁石、希土類磁石、白金コバルト磁石のいずれかであることを含む第１考案又は第２考案に記載の健康用磁気ボールである。
【００２１】
登録を受けようとする第６考案は、前記楕円体磁石や棒状磁石は、その究極の強さが３０００〜１００００ガウスであることが特徴である第１考案、第２考案又は第５考案に記載の健康用磁気ボールである。
【００２２】
登録を受けようとする第７考案は、非磁性体製で弾力性のある球殻で形成された中空の球状体で、その中空部の内圧が１〜２気圧にしたことを特徴とする第１考案、第２考案又は第３考案に記載の健康用磁気ボールである。
【考案の効果】
【００２３】
本考案は、非磁性体製の球殻で形成された中空の球状体であって、その球殻内の中空部には、軸長が中空半径とほぼ同じかそれよりも少し小さい楕円体磁石を２個移動自在なるように収納するか、又は中空直径よりも少し小さい棒状磁石を移動自在なるように収納した健康用磁気ボールである。本考案は、テニスボールや野球のボールや卓球のボールのような球形なので、見た目にも美しく、上下左右の方向性がなく、いかなる向きでも同じように使うことができる便利さがある。
【００２４】
また球形の健康用磁気ボールを力学的に圧縮した場合、そのボール体の先端の接触点に応力集中するので、患部に力学的指圧作用を効率的に働かせることができる。
【００２５】
健康用磁気ボールの中空部内に収納されている当該楕円体磁石は、軸長が中空半径とほぼ同じか、それよりも少し小さい楕円体磁石を２個移動自在なるように収納するか、又は中空直径よりも少し小さい長さの棒状磁石を移動自在なるように収納した健康用磁気ボールである。そのため収納されている連結した楕円体磁石や棒状磁石はその左右両端部の一方がＮ極、他方がＳ極となる。それが球形健康用磁気ボールの中空部内を回動したり移動できるように収納されているので、球形の健康用磁気ボールをいかなる向きや姿勢で使用したとしても、ほとんどの場合、結合されている２個の磁石が、中空部内を移動して磁力の最も強い極とボールの接地点が一致するような姿勢になる。従って、最も強い磁力付与作用と最も強い力学的指圧作用とが一致して患部を同時に刺激することができる。その結果、両作用の相乗効果により筋肉のこりや痛みを和らげ、血流促進、健康増進などに良い治療効果を与えることができることになる。
【００２６】
また、球形の健康用磁気ボール内に収納されている連結された楕円体磁石や棒状磁石は、その照射する磁力線がその外方にある磁性体と反応して反発力を発生させたり吸引力を発生させたりして、球形の健康用磁気ボールの姿勢を不規則に変化させたり移動したりする複雑な動きを起こすものである。それが多様な筋肉のこりや痛みを和らげ、血流を促進させることに対応することになる。
【００２７】
更に、当該健康用磁気ボールは、図３、図４に示すように、磁力の作用によって２個、３個と複数の健康用磁気ボールを結合して使用することができる。このように複数個の健康用磁気ボールを直線的につないで使用した場合、両端の磁石の磁力を身体の患部に伝えることが出来る。
【００２８】
本考案に係る健康用磁気ボールは、このように多様な使い方ができるので、使用する者が、患部の状況に応じた適切な使い方を自由に選択でき、それによって有効な磁力付与作用と力学的指圧作用を付与することができ、取り扱いが簡単となる。
【考案を実施するための最良の形態】
【００２９】
合成ゴム製で中が空洞のコア球状体を形成し、その表面をフェルトで覆うように接着して球殻を形成し、その中空部の内圧を１．８気圧とした球形ボールにする。当該球形ボールの外形直径は６６ｍｍとし、球殻の中空部の中空直径は５６ｍｍとする。当該球形ボールの弾力性は、８ｋｇの荷重をかけたとき変形量が０．３〜１．０ｃｍとなるようにするのが望ましい。また、当該球殻の中空部の中にはその中空半径２８ｍｍよりも少し小さい直径２６ｍｍの楕円体磁石を２個、移動自在なるように収納して健康用磁気ボールとする。当該楕円体磁石は、ネオジウム磁石４０００ガウス〜７５００ガウス〜８５００ガウスを使用した。
【実施例１】
【００３０】
以下、本考案にかかる健康用磁気ボールを図示実施例に基づいて説明する。
図１は、楕円体磁石が２個移動自在なるように収納した本考案にかかる健康用磁気ボールの実施例において、収納されている２個の球形磁石が横向きに接触使用されたときの磁力線の照射状態を示す縦断正面図であり、図２は、楕円体磁石が２個移動自在なるように収納した本考案にかかる健康用磁気ボールの実施例において、その収納されている２個の球形磁石が縦向きに接触使用されたときの磁力線照射状態を示す縦断正面図である。図３は、同健康用磁気ボールの実施例を２個結合して使用したときの磁力線照射状態を示す縦断正面図であり、図４は、同健康用磁気ボールの実施例を３個結合して使用したときの磁力線照射状態を示す縦断正面図である。図５は、棒状磁石が１本移動自在なるように収納した本考案にかかる健康用磁気ボールの実施例で、収納されている棒状磁石が横向き姿勢に使用されたときの磁力線の照射状態を示す縦断正面図であり、図６は、棒状磁石が１本、移動自在なるように収納した本考案にかかる健康用磁気ボールの実施例で、その収納されている棒状磁石が縦向きの姿勢で接触使用されたときの磁力線照射状態を示す縦断正面図である。図７は、棒状磁石が移動自在なるように収納した本考案にかかる健康用磁気ボールの実施例を２個結合して使用したときの磁力線照射状態を示す縦断正面図であり、図８は、同健康用磁気ボールの実施例を３個結合して使用したときの磁力線照射状態を示す縦断正面図である。
【００３１】
まず、  図１、図５に示すように、本考案にかかる健康用磁気ボールの一実施例として、テニスボール様のものを製造することとする。その構成は、非磁性体製で弾力性のある球殻１で形成された中空のコア球状体２で、その表面をフェルト部５で覆って肌ざわりを良くした。その上、当該球殻１内の中空部３には、その中空半径よりも少し小さい直径の楕円体磁石４，４を２個、移動自在なるように収納するとともに、その中空部の内圧を大気圧より少し高めて、身体に押し付けたとき、強い弾力による指圧効果を得られるようにしたことを特徴とする健康用磁気ボールである。
【００３２】
当該健康用磁気ボールの製造方法は、例えば次のようにして行うことができる。
天然ゴム１００質量部に酸化亜鉛２０質量部、充填剤６０質量部、硫黄５質量部、顆粒促進剤５質量部を混ぜ合わせ高温で練り合わせてゴム組成物を得る。このゴム組成物をプラグ状に予備成形し、その予備成形体を成形型に入れて加熱しながら半球状のハーフシェルを形成する。次に、このハーフシェルに２個の楕円体磁石４，４を入れるとともに、塩化アンモニウム水溶液と亜硫酸ナトリウム水溶液とを注入する。そのうえでこのハーフシェルの合わせ面に接着剤を塗布し、このハーフシェルに他のハーフシェルを張り合わせて加熱・接着してコア球状体２となす。こうして出来たコア球状体２の表面に、ゴム糊を付着させたダンベル状のフェルト部５を接着剤で貼り合わせて成形型に投入し、これを加熱して球形状の健康用磁気ボールを得る。この際の加熱により、塩化アンモニウム水溶液と亜硫酸ナトリウム水溶液とが化学反応を起こして窒素を発生してコア球状体２の内圧を１．８気圧に高めた球形の健康用磁気ボールを得るようにする。
【００３３】
当該健康用磁気ボールの外形直径は６６ｍｍとなるようにしたが、その球殻１はコア球状体２の厚みが３ｍｍ、フェルト部５が２ｍｍの積層状に形成されている。従って中空部３の中空直径は５６ｍｍとなる。当該健康用磁気球形ボールの弾力性は、８ｋｇの荷重をかけたとき変形量が０．５〜０．７ｃｍとなった。また、当該球殻１の中空部の中へ収納する楕円体磁石４，４は、長軸径が２８ｍｍで、磁極の強さが７５００ガウスのネオジウム磁石を用意し、当該球形磁石４，４を２個、移動自在なるようにコア球状体２の中空部３内に収納するように構成して健康用磁気ボールとなす。
【００３４】
なお、当該健康用磁気ボールの外観を更にテニスボールのようにする場合には、コア球状体１の表面に覆うように貼り付けたフェルト部５をメルトンに貼り代えることである。当該メルトンとは、綿を縦糸に、ウールとナイロンを横糸にして編みこんだ織物を、主に横糸を中心に起毛し、ローラーをかけてしごき、キューティクルを持つウールとナイロンを絡み合わせて造られている。このように作られているメルトンを２枚ダンベル状に裁断し、それにゴム糊を付着させたうえ、コア球状体２の表面に接着剤で貼り合わせて成形型に投入し、これを加熱して球形状のボールを得るようにする。このようにすると、外観はテニスボールそっくりな健康用磁気ボールを製造することになる。
【００３５】
次に、上記楕円体磁石４，４が２個移動自在なるように収納した本考案にかかる健康用磁気ボールの実施例の使い方と、その特性について記載する。まず、当該楕円体磁石４，４が２個移動自在なるように収納した本考案にかかる健康用磁気ボールの実施例を１個、身体に押し付けて使用する場合について説明する。
その場合、図１に示すように収納されている結合した２個の楕円体磁石４，４が、身体の接触面Ａにほぼ平行な横向きの姿勢になる場合と、図２に示すように身体の接触面Ａに対して上下関係のほぼ縦向きの姿勢になる場合とがあるが、そのほとんどの場合は、図２に示すように縦向きになる場合が考えられる。多くの場合、図２に示すように、縦向きになる場合が常態と考えられる。なぜなら、球形状の健康用磁気ボールを単独で身体に載せて使用する場合には、棒状磁石４，４の重さで自然に縦向きになるだけでなく、２個の連結された棒状磁石４，４は、その一方の極が磁性体である身体との接触点と一致するように磁力作用が働くからである。このようになると強い磁力線の照射と強い圧力とが同時に患部を刺激することになり、治療効果は相乗的効果を発揮することになる。実験によると、７５００ガウスの楕円体磁石４，４を２個を用いて、これが図２のように縦向きになった場合の磁力線は、身体との接触点では、平均２０００ガウス以上の磁力線を照射することができることが解った。
【００３６】
これに対し、図１に示したように、２個の連結された楕円体磁石４，４が平行な姿勢になる場合は、非常にまれであり、例え、なったとしてもその姿勢は不安定なものとなる。なぜなら本考案に係る健康用磁気ボール自体が球形で転がり易いうえ、２個の連結された楕円体磁石４，４が接触面Ａと平行になる姿勢で静止するためには、たまたま磁気ボールの重力と磁力作用がもたらす力のバランスが均衡した場合か、又は外部から左右両方に同じ強さの磁力作用が働いて動けない状態になった場合しか考えられない。このような状態は、磁力作用の特性からも、球形の特性からも非常に不安定なものだからである。しかも、図１に示したように磁石のＮ極とＳ極が平行になっている姿勢は、図示したように磁石のＮ極とＳ極が縦向きになっている姿勢の場合と比較すると、身体の表面層にしかその磁力線の影響を及ぼさない。
【００３７】
次に、楕円体磁石４，４が２個移動自在なるように収納した本考案にかかる健康用磁気ボールの実施例を２個使用した場合の特性について述べる。図３に示すように、本考案に係る健康用磁気ボール２個は、楕円体磁石４，４の強力な磁力により直列に結合する。例えば、７５００ガウスの楕円体磁石４，４を用いた健康用磁気ボール２個が結合している場合、患部との接触点で、２０００ガウス以上、また、接触点の表面から深さ１ｃｍのところでも、接触点の近傍であれば５００ガウス以上の磁力が測定できた。このように結合した２個の健康用磁気ボールを引き離すためには、３ｋｇ重以上の力を働かさないと分離できないこともわかった。このように引き離すのに強い引張力を必要とするのは、４個の楕円体磁石４，４，４，４が各極の強力な磁力によって直列に結合しているからである。従って、片方の健康用磁気ボールを上から押さえて回転させたとしても、その回転によって生ずるずれの力では、結合している他方の健康用磁気ボールを引き離す力は得られず、結果として、当該健康用磁気ボールはその位置で拘束される。よって、このように健康用磁気ボールを２個結合して使用する場合には、安定性がよくなり、患部に対して長時間力学的刺激と２０００ガウス以上の磁気的刺激を同時に付与することができるので、治療効果が高いものとなる。
【００３８】
更に楕円体磁石が２個移動自在なるように収納した本考案にかかる健康用磁気ボールの実施例は、図４に示すように３個直列に連結した態様での使用も可能である。このような場合の磁力線の特徴は、中間の磁気ボールは磁気的には何らの働きをせず単に接合する役目をする。従って、身体の肩こり治療のように一定の距離を置いて２箇所を治療する必要がある場合には、非常に便利である。しかも、この場合接触点での磁力が２０００ガウス以上となり、接触点近傍では、深さ１ｃｍ程度で５００ガウス以上の磁力が得られるので、治療効果も高いものとなる。
【００３９】
尚、図示してはいないが、もし直線的に連結するのであれば、当該健康用磁気ボールを３個以上の適当な数個、連結しても同じような効果がある。即ち、複数個の健康用磁気ボールを直線的につないだ場合、両端の磁石のみ磁力を身体の患部に伝えることが可能である。従って、腰を仰向けの状態で磁気治療するような場合には、適当な個数の磁気ボールを連結することが効果的である。
【００４０】
尚、本考案に係る健康用磁気ボールの磁性上の特性や力学的特性は、水中でも変化しない。従って、当該健康用磁気ボールを入浴の際に利用すれば、その健康用磁気ボールは水中に沈んで効果的に入浴中に患部を刺激し、治療効果を倍増することが出来る。
【実施例２】
【００４１】
実施例２は、図５、図６、図７、図８に示した球殻１内の中空部３に、その中空直径よりも少し小さい長さの棒状磁石４ａを、移動自在なるように収納したことを特徴とする健康用磁気ボールとその使用態様である。それはプラスチック製の球殻１で、直径５０ｍｍの内部が中空のコア球状体２を形成した。そのコア球状体２の表面に厚さ２ｍｍ不織布５ａを貼り付け、直径２４ｍｍの球形ボール体とした。当該コア球状体２の球殻１の厚さは、２ｍｍでその中空部３の直径は４６ｍｍである。当該中空部３内には７５００ガウスの棒状磁石４ａを1本移動自在なるように収納されている。この棒状磁石４ａの長軸の長さは４４〜４５ｍｍである。
【００４２】
図５は、当該球殻１内の中空部３に、その中空直径よりも少し小さい長さの棒状磁石４ａを、移動自在なるように収納した健康用磁気ボールが、使用時に棒状磁石４ａが平行になった姿勢を示す断面説明図である。図６は、同棒状磁石４ａを収納した健康用磁気ボールの姿勢が縦向きになった状態を示す断面説明図である。このように構成された健康用磁気ボールの実施例の場合も、縦向きの姿勢になった場合には、患部との接触点では２０００ガウス以上の磁力線を照射していることを確認した。従って、使用者は患部の上から当該健康用磁気ボールを押し付けた場合、そのボールの先端の接触点に応力が集中して、患部に強い力学的指圧作用と強い磁力線の照射作用とを同時に付与して患部を刺激するので、治療効果は相乗的効果となる。
【００４３】
また、球殻１内の中空部３に、その中空直径よりも少し小さい長さの棒状磁石４ａを、移動自在なるように収納したことを特徴とする本考案に係る健康用磁気ボールの実施例の場合も、２個、３個と複数個を直線的に連結して使用することが可能である。図７は、同実施例２の健康用磁気ボールを２個連結して用いた場合の磁力線の照射状態を示す断面説明図である。この場合、磁力線は結合した２個の健康用磁気ボールの両側から照射されることになる。更に、図８は、実施例２の健康用磁気ボールを３個を連結して用いた場合の磁力線の照射状態を示す断面説明図である。この場合も磁力線は連結した３個の健康用磁気ボールの左右両端部から照射されることになり、真ん中の健康用磁気ボールからは患部に磁力が照射されることが無い。従って、強い磁力線の照射作用を離れている患部に照射して刺激する治療する場合に便利である。これら、第２実施例に係る健康用磁気ボールを複数用いた場合の効果については、第１実施例の場合と殆ど同様である。
【００４４】
更にまた、本件健康用磁気ボールの実施例２の場合も、水中で同様に強い力学的指圧作用と強い磁力線の照射作用とを同時に付与することが出来た。
【図面の簡単な説明】
【００４５】
【図１】楕円体磁石が２個移動自在なるように収納した本考案にかかる健康用磁気ボールの実施例で、収納されている２個の球形磁石が横向きに接触使用されたときの磁力線の照射状態を示す縦断正面図である。
【図２】楕円体磁石が２個移動自在なるように収納した本考案にかかる健康用磁気ボールの実施例で、その収納されている２個の球形磁石が縦向きに接触使用されたときの磁力線照射状態を示す縦断正面図である。
【図３】楕円体磁石が２個移動自在なるように収納した健康用磁気ボールの実施例を２個結合して使用したときの磁力線照射状態を示す縦断正面図である。
【図４】楕円体磁石が２個移動自在なるように収納した健康用磁気ボールの実施例を３個結合して使用したときの状態を示す縦断正面図である。
【図５】棒状磁石が１個移動自在なるように収納した本考案にかかる健康用磁気ボールの実施例で、収納されている棒状磁石が横向き姿勢に使用されたときの磁力線の照射状態を示す縦断正面図である。
【図６】棒状磁石が１個、移動自在なるように収納した本考案にかかる健康用磁気ボールの実施例で、その収納されている棒状磁石が縦向きの姿勢で接触使用されたときの磁力線照射状態を示す縦断正面図である。
【図７】棒状磁石が移動自在なるように収納した本考案にかかる健康用磁気ボールの実施例を２個結合して使用したときの磁力線照射状態を示す縦断正面図である。
【図８】棒状磁石が移動自在なるように収納した本考案にかかる健康用磁気ボールの実施例を３個結合して使用したときの磁力線照射状態を示す縦断正面図である。
【符号の説明】
【００４６】
１：球殻
２：コア球状体
３：中空部
４：楕円体磁石
４ａ：棒状磁石
５：フェルト部
５ａ：不織布
Ａ；接触面
【図１】
0003143536.tif 000003
【図２】
0003143536.tif 000004
【図３】
0003143536.tif 000005
【図４】
0003143536.tif 000006
【図５】
0003143536.tif 000007
【図６】
0003143536.tif 000008
【図７】
0003143536.tif 000009
【図８】
0003143536.tif 000010